(57)【要約】【課題】  眼底カメラ等の眼科装置で撮影された画像の記録ファイル数を表示し、所望の眼科画像のある記憶媒体を容易に探し出すことができる眼科装置を提供する。【解決手段】  撮影情報を記憶している画像記憶手段と、撮影した機器を特定する機器種別情報設定手段と、前記記憶された撮影情報と前記機器種別情報を比較する種別情報比較手段と、該種別情報比較手段の比較結果に基づいて画像数を算出する画像算出手段と、該画像算出手段で算出された結果を表示する画像数表示手段を有することを特徴とする眼科装置。【選択図】  図１
2005176972.tif 000002
【特許請求の範囲】
【請求項１】
被検眼像及び被検眼撮影時における撮影情報を記憶している画像記憶手段と、撮影した機器を特定する機器種別情報を設定する機器種別情報設定手段と、前記画像記憶手段に記憶されている撮影情報と前記機器種別情報設定手段により設定された機器種別情報を比較する種別情報比較手段と、該種別情報比較手段の比較結果に基づいて画像数を算出する画像算出手段と、該画像算出手段で算出された結果を表示する画像数表示手段を有することを特徴とする眼科装置。
【発明の詳細な説明】
【技術分野】
【０００１】
本発明は、眼底カメラ等の眼科装置に関する。
【背景技術】
【０００２】
従来から、眼底カメラ等の眼科機器で撮影された被検眼画像データはMO(光磁気ディスク)等の画像記録メディアに記録することが行われている。
【０００３】
例えば、眼科医院等において過去に撮影された眼底画像をMOから読み出す場合には、MO装置に画像が記録されているMOディスクを挿入し、画面上に表示される記録画像ファイル数や記録日時等を参照の上、所望の画像をMOディスクから読み出すための操作を行う。
【０００４】
これにより、読み出された画像がモニタ上に表示される。
【特許文献１】特開平５−００２６２９
【発明の開示】
【発明が解決しようとする課題】
【０００５】
一般に、所望の画像がどのMOディスクに記録されているのかわからなくなってしまうことはままあり、このような場合にはとりあえずMOディスクをMO装置に挿入してまずファイル数等を確認する。そこで過去の記憶から所望の画像が入っていそうなMOディスクについては実際に画像を確認する。
【０００６】
しかしながら、MO装置に表示される記録画像のファイル数は、どのような経緯で記録されたかに関わらず、全ての画像ファイル数が表示されてしまうため、眼底画像でない画像ファイル数も表示され、結果として所望のMOディスクを探す上では記録画像ファイル数を頼りにすることができなかった。
【０００７】
本発明の目的は、上述の問題点を解消し、眼底カメラ等の眼科装置で撮影された画像の記録ファイル数を表示し、所望の眼科画像のある記憶媒体を容易に探し出すことができる眼科装置を提供することにある。
【課題を解決するための手段】
【０００８】
上記目的を達成するための本発明に係る眼科装置は、被検眼像及び被検眼撮影時における撮影情報を記憶している画像記憶手段と、撮影した機器を特定する機器種別情報を設定する機器種別情報設定手段と、前記画像記憶手段に記憶されている撮影情報と前記機器種別情報設定手段により設定された機器種別情報を比較する種別情報比較手段と、該種別情報比較手段の比較結果に基づいて画像数を算出する画像算出手段と、該画像算出手段で算出された結果を表示する画像数表示手段を有する。
【発明の効果】
【０００９】
以上説明したように、本発明に係る眼科装置においては、所望の画像が入っている記憶媒体を検索する際、「撮影機種名」等の撮影機器情報を入力することにより、記憶媒体上の該当する画像ファイル数が表示されるように構成したので、過去に撮影された画像ファイルを読み出したい場合に、迅速かつ簡単に所望の画像が保存されている記憶媒体を探し出すことができる効果がある。
【発明を実施するための最良の形態】
【００１０】
（実施例１）
本発明を図１〜図８に図示の装置構成図及びフローチャートを用いて詳細に説明する。
【００１１】
図１は本発明を実施した場合の装置構成図を示し、1は眼底カメラ、2は眼底カメラ1により撮影された被検眼眼底を撮像するCCDカメラ、3はCCDカメラ2により撮像された眼底像をA/D変換した後、一時記憶するメモリおよびその他種々の演算機能を有する演算処理部、4は画像等を表示するモニタ、5は撮影された画像を記録するMO(光磁気ディスク)ドライブ、6は撮影された画像の撮影機種名を設定する撮影機種名設定部、7は画像ファイル数を計算するファイル数カウント部、8は演算処理部3で行われる演算処理内容を表すプログラムを格納する記憶媒体である。
【００１２】
次に本発明の実施手順について図２のフローチャートを用いて説明する。
【００１３】
まず、撮影者は眼底カメラ1により被検眼眼底の撮影を行う。(ステップ1)
撮影者は図示しない眼底カメラ1内のモニタに映出される被検眼眼底の赤外動画像を観察することにより、撮影部位を特定する。また、同時に被検眼と対物レンズ間の距離合わせ、ピント調節等を行う。なお、ここでは眼底カメラ1内のモニタ像を用いて行うようにしたが、これに限らず、可視光を被検眼に投影することにより、撮影者が直接被検眼を観察することにより上記撮影前の設定を行うようにしてもよい。
【００１４】
撮影の準備ができたら、撮影者は眼底カメラ1内の図示しない撮影スイッチを押下することにより眼底カメラ1内の図示しない撮影光が発光し被検眼の撮影を行う。
【００１５】
撮影された画像はCCDカメラ2にて光電変換され、CCDカメラ2から出力される眼底画像信号が演算処理部3内の図示しないA/Dコンバーターにてデジタル信号に変換された後、図示しないメモリに記憶され、さらにモニタ4上に表示される。
【００１６】
メモリ上の画像は、MS-DOS等のファイルシステムを経由してMOドライブ内に挿入された図示しないMOディスクに画像ファイルとして記録される。(ステップ2)
なお、ここで画像ファイルが生成される際、図示しない撮影機種名登録部から図３に示すような画像ファイルのタグ領域内のコメント情報部に「撮影機種名」情報を記録しておく。「撮影機種名」情報は、一般にモデル名または型名と言われる眼底カメラの種類を特定するための名称等を指す。
【００１７】
なお、ここでは記録される情報は「撮影機種名」の場合を例に挙げて説明したが、これに限ることなく、「眼底カメラのシリアル番号」、「撮影機器の種類」(例えば、散瞳型眼底カメラ、無散瞳型眼底カメラなど)を記録するように構成してもよい。
【００１８】
次に、上記手順に従ってMOディスクに記録された眼底画像を再生表示する場合の手順を示す。
【００１９】
再生を行うにあたり、まず再生したい画像を撮影した「撮影機種名」を撮影機種名設定部6より入力する。なお、「眼底カメラのシリアル番号」、「撮影機器の種類」を入力するようにしても良い。(ステップ3)
ステップ3で設定された「撮影機種名」は、演算処理部3内の図示しないメモリに格納される。
【００２０】
ここで入力された「撮影機種名」等の情報は、MOドライブ5に挿入されているMOディスクが交換された場合においても使用可能であるように構成しても良い。
【００２１】
MOドライブ5に、再生表示したい画像が入っていると思われるMOディスクが挿入されると演算処理部3にてMOディスク内の画像ファイルが読み出され、各画像のタグ領域内におけるコメント情報部から、「撮影機種名」情報を読み出し、演算処理部3内のメモリに格納されている撮影機種名設定部6から設定された「撮影機種名」との比較が行われる。図４にコメント情報部に記憶されている値の例を示す。比較の結果、「撮影機種名」が一致した場合には、ファイル数カウント部7にてカウント値が更新される。(ステップ4)
上記説明では「撮影機種名」が一致しているか否かを判断する場合を例に挙げて説明したが、これに限ることなく、「眼底カメラのシリアル番号」、「撮影機器の種類」が一致しているかでカウント値の更新を行うように構成してもよい。
【００２２】
MOディスク上の全ての画像ファイルの比較が終了したら、ファイル数カウント部7内に記憶されているカウント値が演算処理部3に読み出され、図５に示すように、モニタ4上に表示される。(ステップ5)
操作者は、モニタ4上に表示されたファイル数を確認することにより、目的の画像の入ったMOディスクであるか否かを判断する。
【００２３】
なお、ここでは画像の記憶媒体としてMOディスクの場合を例に挙げて説明したが、これに限ることなく、メモリカードやハードディスクドライブ等の媒体でも同様の効果を得ることができる。
【００２４】
（実施例２）
実施例1では「撮影機種名」等の情報を撮影機種名登録部により入力設定するとしたが、これに限らず眼底カメラ1内の図示しないメモリに記憶されている「撮影機種名」、「眼底カメラのシリアル番号」、「撮影機器の種類」等の情報を撮影時に演算処理部3へ転送するように構成してもよい。
【００２５】
上記実施例では眼底カメラの場合を例に挙げて説明したが、これに限ることなく、スリットランプ(細隙灯顕微鏡)等の他の眼科機器においても同様の効果が得られることは言うまでもない。
【図面の簡単な説明】
【００２６】
【図１】本発明の装置構成図
【図２】本発明の動作フロー
【図３】タグ形式の画像フォーマットの例
【図４】コメント情報部の例
【図５】画像数検索結果表示例
【符号の説明】
【００２７】
１  眼底カメラ
２  CCDカメラ
３  演算処理部
４  モニタ
５  MOドライブ
６  撮影機種名設定部
７  ファイル数カウント部
８  記憶媒体
【図１】
2005176972.tif 000003
【図２】
2005176972.tif 000004
【図３】
2005176972.tif 000005
【図４】
2005176972.tif 000006
【図５】
2005176972.tif 000007